(57)【要約】【課題】地震が発生しても、天井吊り杆が撓み変形することがなく、従って野縁受けの脱落、天井板の落下を防止できる天井下地構造を提供すること。【解決手段】天井部Ｓに設けられた吊り金具Ｎに天井吊り杆１の上端部を螺着し、その下端部にハンガー２を取り付け、ハンガー２に野縁受け３を支持し、野縁受け３を介して野縁５を支持するようになっている天井下地構造において、天井吊り杆１を、短尺状の上部ボルト７と、短尺状の下部ボルト８と、上端部が上部連結部材１０を介して上部ボルト７に連結固定され且つ下端部が下部連結部材１１を介して下部ボルト８に連結固定される長尺状の吊り杆本体９とにより構成すると共に、長尺状吊り杆本体９を角パイプ材又はリップ溝形材で形成し、上部ボルト７の上端部側を吊り金具Ｎに螺着し、下部ボルト８の下端部にハンガー２を取り付けるようにしてなる。【選択図】図１
2014001504.tif 000002
【特許請求の範囲】
【請求項１】
天井部に設けられた吊り金具に天井吊り杆の上端部を螺着し、その下端部にハンガーを取り付け、ハンガーに野縁受けを支持し、この野縁受けを介して野縁を支持するようになっている天井下地構造において、
前記天井吊り杆を、短尺状の上部ボルトと、短尺状の下部ボルトと、上端部が上部連結部材を介して上部ボルトに連結固定され且つ下端部が下部連結部材を介して下部ボルトに連結固定される長尺状の吊り杆本体とにより構成すると共に、この長尺状吊り杆本体を角パイプ材又はリップ溝形材によって形成し、上部ボルトの上端部側を吊り金具に螺着し、下部ボルトの下端部にハンガーを取り付けるようにしてなる天井下地構造。
【請求項２】
上部連結部材は、両側板とボルト挿通孔付き上板とからなる下向きコ字状のブラケットを有し、このブラケットの上板のボルト挿通孔に上部ボルトを挿通し、上部ボルトには上板の上下両側にナットを螺合すると共に、両側板で吊り杆本体の上端部両側面を挟持した状態で、各側板から吊り杆本体に対し上下複数個のタッピングビスをねじ込むことによりブラケットを吊り杆本体の上端部に固定し、ブラケット内の上部側にこれと一体又は一体的に設けたストッパーに上部ボルトの下端を当接した状態で前記上下両ナットを上板に対し締着することによって上部ボルトをブラケットに固定するようにした請求項１に記載の天井下地構造。
【請求項３】
上部連結部材は、両側板とボルトネジ孔付き上板とからなる下向きコ字状のブラケットを有し、両側板で吊り杆本体の上端部両側面を挟持した状態で、各側板から吊り杆本体に対し上下複数個のタッピングビスをねじ込むことによりブラケットを吊り杆本体の上端部に固定し、上板のボルトネジ孔に上部ボルトを螺挿して、このボルトの下端が、ブラケット内の上部側にこれと一体又は一体的に設けたストッパーに当接するように上部ボルトを締結することによって上部ボルトをブラケットに固定するようにした請求項１に記載の天井下地構造。
【請求項４】
ストッパーは、ブラケットの両側板から吊り杆本体に対しねじ込まれた上下複数個のタッピングビスのうち最上部のタッピングビスの螺軸部からなる請求項２又は３に記載の天井下地構造。
【請求項５】
ストッパーは、ブラケットの両側板の何れか一方の上部側所要箇所を内向き水平に突出するように切り起こした切り起こし片からなる請求項２又は３に記載の天井下地構造。
【請求項６】
下部連結部材は、両側板とボルト挿通孔付き下板とからなる上向きコ字状のブラケットを有し、このブラケットの下板のボルト挿通孔に下部ボルトを挿通し、下部ボルトには下板の上下両側にナットを螺合すると共に、両側板で吊り杆本体の下端部両側面を挟持した状態で、各側板から吊り杆本体に対し上下複数個のタッピングビスをねじ込むことによりブラケットを吊り杆本体の下端部に固定し、ブラケット内の下部側にこれと一体又は一体的に設けたストッパーに下部ボルトの上端を当接した状態で前記上下両ナットを下板に対し締着することによって下部ボルトをブラケットに固定するようにした請求項１〜６の何れかに記載の天井下地構造。
【請求項７】
下部連結部材は、両側板とボルトネジ孔付き下板とからなる上向きコ字状のブラケットを有し、両側板で吊り杆本体の下端部両側面を挟持した状態で、各側板から吊り杆本体に対し上下複数個のタッピングビスをねじ込むことによりブラケットを吊り杆本体の下端部に固定し、下板のボルトネジ孔に下部ボルトを螺挿して、このボルトの上端が、ブラケット内の上部側にこれと一体又は一体的に設けたストッパーに当接するように下部ボルトを締結することによって下部ボルトをブラケットに固定するようにした請求項１〜６の何れかに記載の天井下地構造。
【請求項８】
ストッパーは、ブラケットの両側板から吊り杆本体に対しねじ込まれた上下複数個のタッピングビスのうち最下部のタッピングビスの螺軸部からなる請求項６又は７に記載の天井下地構造。
【請求項９】
ストッパーは、ブラケットの両側板の何れか一方の下部側所要箇所を内向き水平に突出するように切り起こした切り起こし片からなる請求項６又は７に記載の天井下地構造。
【請求項１０】
上部連結部材及び下部連結部材のブラケットの両側板には、その両側板で吊り杆本体の上端部又は下端部両側面を挟持する時に、吊り杆本体の幅を規制して吊り杆本体に対し両側板を位置決めするための位置決め用切り起こし片を、切込み線を介して切り起こし可能に形成してなる請求項１〜９の何れかに記載の天井下地構造。
【発明の詳細な説明】
【技術分野】
【０００１】
本発明は、構造物の天井部から垂下される天井吊り杆、ハンガー、野縁受け、野縁等からなる天井下地構造に関する。
【背景技術】
【０００２】
天井下地構造では、天井部に設けられた吊り金具に天井吊り杆の上端部を螺着し、その下端部にハンガーを取り付け、ハンガーに野縁受けを支持し、この野縁受けにクリップを介して野縁を吊支し、この野縁に天井板を取り付けるようになっている。
【発明の概要】
【発明が解決しようとする課題】
【０００３】
従来の天井下地構造において、天井吊り杆は、吊りボルトと称されるもので、吊り杆の全体が長尺状のボルトによって形成されている。この吊りボルトは、比較的小規模の構造物の場合には長さが１ｍ程度と比較的短いが、比較的大規模な構造物の場合はその長さが２〜３ｍあるいはそれ以上長いものとなり、そうなると地震の発生時にボルト全体が撓んで変形し、それによりハンガーが変形して口を開いた状態となり、野縁受けが外れて野縁と共に天井板が落下する、という事故が発生している。
【０００４】
本発明は、上記の事情に鑑み、地震が発生しても、天井吊り杆が撓み変形することがなく、従って野縁受けの脱落、天井板の落下を防止できる天井下地構造を提供することを目的とする。
【課題を解決するための手段】
【０００５】
上記課題を解決するための手段を、後述する実施形態の参照符号を付して説明すると、請求項１に係る発明は、天井部Ｓに設けられた吊り金具Ｎに天井吊り杆１の上端部を螺着し、その下端部にハンガー２を取り付け、ハンガー２に野縁受け３を支持し、この野縁受け３を介して野縁５を支持するようになっている天井下地構造において、
前記天井吊り杆１を、短尺状の上部ボルト７と、短尺状の下部ボルト８と、上端部が上部連結部材１０を介して上部ボルト７に連結固定され且つ下端部が下部連結部材１１を介して下部ボルト８に連結固定される長尺状の吊り杆本体９とにより構成すると共に、この長尺状吊り杆本体９を角パイプ材又はリップ溝形材によって形成し、上部ボルト７の上端部側を吊り金具Ｎに螺着し、下部ボルト８の下端部にハンガー２を取り付けるようにしてなることを特徴とする。
【０００６】
請求項２は、請求項１に記載の天井下地構造において、上部連結部材１０は、両側板ａ，ａとボルト挿通孔ｃ付き上板ｂとからなる下向きコ字状のブラケット１２を有し、このブラケット１２の上板ｂのボルト挿通孔ｃに上部ボルト７を挿通し、上部ボルト７には上板ｂの上下両側にナット１３を螺合すると共に、両側板ａ，ａで吊り杆本体９の上端部両側面を挟持した状態で、各側板ａから吊り杆本体９に対し上下複数個のタッピングビス１４をねじ込むことによりブラケット１２を吊り杆本体９の上端部に固定し、ブラケット１２内の上部側にこれと一体又は一体的に設けたストッパー１５に上部ボルト７の下端を当接させた状態で前記上下両ナット１３，１３を上板ｂに対し締着することによって上部ボルト７をブラケット１２に固定するようにしたことを特徴とする。
【０００７】
請求項３は、請求項１に記載の天井下地構造において、上部連結部材１０は、両側板ａ，ａとボルトネジ孔１９付き上板ｂとからなる下向きコ字状のブラケット１２を有し、両側板ａ，ａで吊り杆本体９の上端部両側面を挟持した状態で、各側板ａから吊り杆本体９に対し上下複数個のタッピングビス１４をねじ込むことによりブラケット１２を吊り杆本体９の上端部に固定し、上板ｂのボルトネジ孔１９に上部ボルト７を螺挿して、このボルト７の下端が、ブラケット１２内の上部側にこれと一体又は一体的に設けたストッパー１５に当接するように上部ボルト７を締結することによって上部ボルト７をブラケット１２に固定するようにしたことを特徴とする。
【０００８】
請求項４は、請求項２又は３に記載の天井下地構造において、ストッパー１５は、ブラケット１２の両側板ａ，ａから吊り杆本体９に対しねじ込まれた上下複数個のタッピングビス１４のうち最上部のタッピングビス１４の螺軸部からなることを特徴とする。
【０００９】
請求項５は、請求項２又は３に記載の天井下地構造において、ストッパー１５は、ブラケット１２の両側板ａ、ａの何れか一方の上部側所要箇所を内向き水平に突出するように切り起こした切り起こし片２１からなることを特徴とする。
【００１０】
請求項６は、請求項１〜６の何れかに記載の天井下地構造において、下部連結部材１１は、両側板ａ，ｇとボルト挿通孔ｃ付き下板ｂとからなる上向きコ字状のブラケット１６を有し、このブラケット１６の下板ｂのボルト挿通孔ｃに下部ボルト８を挿通し、下部ボルト８には下板ｂの上下両側にナット１３，１３を螺合すると共に、両側板ａ，ａで吊り杆本体９の下端部両側面を挟持した状態で、各側板ａから吊り杆本体９に対し上下複数個のタッピングビス１４をねじ込みことによりブラケット１６を吊り杆本体９の下端部に固定し、ブラケット１６内の下部側にこれと一体又は一体的に設けたストッパー１７に下部ボルト８の上端を当接した状態で前記上下両ナット１３，１３を下板ｂに対し締着することで下部ボルト８をブラケット１６に固定するようにしたことを特徴とする。
【００１１】
請求項７は、請求項１〜６の何れかに記載の天井下地構造において、下部連結部材１１は、両側板ａ，ａとボルトネジ孔１９付き下板ｂとからなる上向きコ字状のブラケット１６を有し、両側板ａ，ａで吊り杆本体９の下端部両側面を挟持した状態で、各側板ａから吊り杆本体９に対し上下複数個のタッピングビス１４をねじ込みことによりブラケット１６を吊り杆本体９の下端部に固定し、下板ｂのボルトネジ孔１９に下部ボルト８を螺挿して、このボルト８の上端が、ブラケット１６内の上部側にこれと一体又は一体的に設けたストッパー１７に当接するように下部ボルト８を締結することによって下部ボルト８をブラケット１６に固定するようにしたことを特徴とする。
【００１２】
請求項８は、請求項６又は７に記載の天井下地構造において、ストッパー１７は、ブラケット１６の両側板ａ，ａから吊り杆本体９に対しねじ込まれた上下複数個のタッピングビス１４のうち最下部のタッピングビス１４の螺軸部からなることを特徴とする。
【００１３】
請求項９は、請求項６又は７に記載の天井下地構造において、ストッパー１７は、ブラケット１６の両側板ａ，ａの何れか一方の下部側所要箇所を内向き水平に突出するように切り起こした切り起こし片２１からなることを特徴とする。
【００１４】
請求項１０は、請求項１〜９の何れかに記載の天井下地構造において、上部連結部材１０及び下部連結部材１１のブラケット１２，１６の両側板ａ、ａには、その両側板ａ，ａで吊り杆本体９の上端部又は下端部両側面を挟持する時に、吊り杆本体９の幅を規制して吊り杆本体９に対し両側板ａ，ａを位置決めするための位置決め用切り起こし片２２，２３を、切込み線ｍ，ｎを介して切り起こし可能に形成してなることを特徴とする。
【発明の効果】
【００１５】
上記解決手段による発明の効果を、後述する実施形態の参照符号を付して説明すると、請求項１に係る発明の天井下地構造によれば、天井吊り杆１を、短尺状の上部ボルト７と、短尺状の下部ボルト８と、上端部が上部連結部材１０を介して上部ボルト７に連結固定され、下端部が下部連結部材１１を介して下部ボルト８に連結固定される長尺状の吊り杆本体９とにより構成すると共に、長尺状吊り杆本体９を、従来使用されている長尺ボルトよりも曲げ強度に優れた角パイプ材又はリップ溝形材によって形成しているので、かなり大きな地震が発生しても、天井吊り杆１が撓み変形することがなく、従って天井板の落下を防止することができる。
【００１６】
請求項２に係る発明によれば、上部連結部材１０は下向きコ字状のブラケット１２からなるもので、このブラケット１２の上板ｂのボルト挿通孔ｃに上部ボルト７を挿通し、上部ボルト７には上板ｂの上下両側にナット１３を螺合すると共に、両側板ａ，ａで吊り杆本体９の上端部両側面を挟持した状態で、各側板ａから吊り杆本体９に対し上下複数個のタッピングビス１４をねじ込むことによりブラケット１２を吊り杆本体９の上端部に固定し、ブラケット１２内のストッパー１５に上部ボルト７の下端を当接させた状態で上下両ナット１３，１３を上板ｂに対し締着することによって上部ボルト７をブラケット１２に固定するようにしたから、簡単の構造のブラケット１２と、上部ボルト７に螺合する上下のナット１３，１３とによって、上部ボルト７とブラケット１２と吊り杆本体９とを有効に連結固定することができる。
【００１７】
請求項３に係る発明のように、ブラケット１２の上板ｂにボルトネジ孔１９を設けて、このネジ孔１９に上部ボルト７を螺挿し、ブラケット１２内に設けたストッパー１５に上部ボルト７の下端が当接するように上部ボルト７を締結することによって上部ボルト７をブラケット１２に固定する構成とすれば、締着用のナット１３が不要となるため、上部ボルト７とブラケット１２との連結作業が容易となる。
【００１８】
請求項４に係る発明のように、ストッパー１５が、ブラケット１２の両側板ａ，ａから吊り杆本体９に対しねじ込まれた上下複数個のタッピングビス１４のうち最上部のタッピングビス１４の螺軸部からなるものとすれば、特別なストッパー部材が不要となるため、ブラケット１２の構造が簡単でその製作が容易となる。
【００１９】
請求項５に係る発明のように、ストッパー１５が、ブラケット１２の両側板ａ、ａの何れか一方の上部側所要箇所を内向き水平に突出するように切り起こした切り起こし片２１からなる場合は、上部ボルト７の下端を的確に安定良く当接支持させることができる。
【００２０】
請求項６に係る発明によれば、下部連結部材１１は上向きコ字状のブラケット１６からなるもので、このブラケット１６の下板ｂのボルト挿通孔ｃに下部ボルト８を挿通し、下部ボルト８には下板ｂの上下両側にナット１３，１３を螺合すると共に、両側板ａ，ａで吊り杆本体９の下端部両側面を挟持した状態で、各側板ａから吊り杆本体９に対し上下複数個のタッピングビス１４をねじ込みことによりブラケット１６を吊り杆本体９の下端部に固定し、ブラケット１６内の下部側にこれと一体又は一体的に設けたストッパー１７に下部ボルト８の上端を当接した状態で上下両ナット１３，１３を下板ｂに対し締着することで下部ボルト８をブラケット１６に固定するようにしたから、簡単の構造のブラケット１６と、上部ボルト７に螺合する上下のナット１３，１３とによって、下部ボルト８とブラケット１６と吊り杆本体９とを有効に連結固定することができる。
【００２１】
請求項７に係る発明のように、ブラケット１６の下板ｂにボルトネジ孔１９を設けて、このネジ孔１９に下部ボルト８を螺挿し、ブラケット１６内に設けたストッパー１７に下部ボルト８の上端が当接するように下部ボルト８を締結することによって下部ボルト８をブラケット１６に固定する構成とすれば、締着用のナット１３が不要となるため、下部ボルト８とブラケット１６との連結作業が容易となる。
【００２２】
請求項８に係る発明のように、ストッパー１７が、ブラケット１６の両側板ａ，ａから吊り杆本体９に対しねじ込まれた上下複数個のタッピングビス１４のうち最下部のタッピングビス１４の螺軸部からなるものとすれば、特別なストッパー部材が不要となるため、ブラケット１２の構造が簡単でその製作が容易となる。
【００２３】
請求項９に係る発明のように、ストッパー１７が、ブラケット１６の両側板ａ、ａの何れか一方の下部側所要箇所を内向き水平に突出するように切り起こした切り起こし片２１からなる場合は、下部ボルト８の下端を的確に安定良く当接支持させることができる。
【００２４】
請求項１０に係る発明のように、上部連結部材１０及び下部連結部材１１のブラケット１２，１６の両側板ａ、ａに、両側板ａ，ａで吊り杆本体９の上端部又は下端部両側面を挟持する時に、吊り杆本体９の幅を規制して吊り杆本体９に対し両側板ａ，ａを位置決めするための位置決め用切り起こし片２２，２３を、切込み線ｍ，ｎを介して切り起こし可能に形成すれば、吊り杆本体９に対するブラケット１２，１６の位置決めが容易となり、吊り杆本体９の組立て作業が容易となる。
【図面の簡単な説明】
【００２５】
【図１】本発明に係る天井下地構造を示す斜視図である。
【図２】(a) は上部及び下部連結部材のブラケットを展開状態の平面図、(b) は上部連結部材用ブラケットの正面図であり、(c) は下部連結部材用ブラケットの正面図である。
【図３】(a) は図１に示す天井下地構造の要部縦断面図、(b) は(a) のＸ−Ｘ線断面図であり、(c) はリップ溝形材からなる吊り杆本体を示す断面図である。
【図４】(a) 〜(c) は天井吊り杆の種々の実施形態を示す正面図である。
【図５】(a) はストッパー用切り起こし片を設ける場合の上部・下部連結部材のブラケットを展開状態で示す平面図、(b) は(a) の上部及び下部連結部材のブラケットの使用状態を示す正面図である。
【図６】(a) は上部・下部連結部材のブラケットを展開状態で示す平面図で、両側板に位置決め用切り起こし片を設ける場合を示し、(b-1) は幅狭吊り杆本体位置決め用の切り起こし片を設けた場合の使用状態正面図、(b-2) は(b-1) のＹ−Ｙ線断面図、(c-1) は幅広吊り杆本体位置決め用の切り起こし片を設けた場合の使用状態正面図であり、(c-2) は(c-1) のＺ−Ｚ線断面図である。
【発明を実施するための形態】
【００２６】
以下に本発明の好適な一実施形態を図面に基づき説明すると、図１に示す天井下地構造は、天井コンクリートスラブＳ（天井部）に埋設されたインサートナットＮ（吊り金具）に天井吊り杆１の上端部を螺着し、この天井吊り杆１の下端部にハンガー２を取り付け、このハンガー２に野縁受け３を支持し、この野縁受け３にクリップ４を介して野縁５を支持し、この野縁５に天井板６を取り付けるようにしたものである。尚、天井部がコンクリートの場合は、吊り金具としてインサートナットＮが使用されるが、天井部がデッキプレートの場合には、デッキ用の吊り金具が使用される。
【００２７】
天井吊り杆１は、短尺状の上部ボルト７と、短尺状の下部ボルト８と、上端部が上部連結部材１０を介して上部ボルト７に連結固定され且つ下端部が下部連結部材１１を介して下部ボルト８に連結固定される長尺状の吊り杆本体９とにより構成され、長尺状の吊り杆本体９は、曲げ強度に優れた角パイプ（角型鋼管）材によって形成されている。尚、この実施形態の天井吊り杆１では、上部ボルト７は、外径が８ｍｍ、長さが６ｃｍとし、また下部ボルト８は、外径が８ｍｍ、長さが１０ｃｍとし、そして吊り杆本体９を形成する角パイプ材は、そのサイズが例えば１．６×１９×１９で、長さが２ｍとする。また吊り杆本体９としては、角パイプ材以外に、シングル野縁に使用される、通称ＳバーやＭバーと言われているような曲げ強度に優れたリップ溝形材を使用することができる。図３の(c) には、一般にシングル野縁に使用されるリップ溝形材からなる吊り杆本体９を示し、また図中のｐがリップ溝形材のリップを示す。
【００２８】
上部連結部材１０について、図１〜図３を参照して説明すると、この連結部材１０は、両側板ａ，ａとボルト挿通孔ｃ付きの上板ｂとからなる下向きコ字状のブラケット１２を有し、このブラケット１２の上板ｂのボルト挿通孔ｃに上部ボルト７を挿通し、上部ボルト７には上板ｂを挟むようにその上下両側にナット１３，１３を螺合すると共に、両側板ａ，ａによって吊り杆本体９の上端部両側面を挟持した状態で、各側板ａから吊り杆本体９に対し上下複数個のタッピングビス１４をねじ込むことによりブラケット１２を吊り杆本体９の上端部に固定し、そしてブラケット１２内の上部側にこれと一体又は一体的に設けたストッパー１５に上部ボルト７の下端を当接した状態で前記上下両ナット１３，１３を上板ｂに対し締着することによって上部ボルト７をブラケット１２及び吊り杆本体９に対し一体的に連結固定するようにしたものである。
【００２９】
この上部連結部材１０のブラケット１２を形成するには、図２の(a) に示すように、細長矩形状に形成した鋼板材Ｍの中央部側とその側方近傍に折り目ｇ，ｇ、ｈ，ｈを設け、折り目ｇ，ｇ間を上板ｂとし、また折り目ｇ，ｇの両側全部を両側板ａ，ａとし、上板ｂの中央にボルト挿通孔ｃを穿設し、各側板ａに複数個のタッピング孔ｄを穿設し、そしてこの鋼板材Ｍを折り目ｇ，ｇ、ｈ，ｈのところでプレス加工により折り曲げ、同図の(b) に示すような略下向きコ字状の上部側ブラケット１２を形成する。尚、折り目ｈ，ｈは、上板ｂ近い側板部分ａｏを、上板ｂに対し直角よりも僅かに末広がり状に折り曲げるための折り目である。
【００３０】
下部連結部材１１は、図３の(a) から分かるように、両側板ａ，ａとボルト挿通孔ｃ付きの下板ｂとからなる上向きコ字状のブラケット１６を有し、このブラケット１６の下板ｂのボルト挿通孔ｃに下部ボルト８を挿通し、下部ボルト８には下板ｂを挟んでその上下両側にナット１３，１３を螺合すると共に、両側板ａ，ａで吊り杆本体９の下端部両側面を挟持した状態で、各側板ａから吊り杆本体９に対し上下複数個のタッピングビス１４をねじ込むことによってブラケット１６を吊り杆本体９の下端部に固定し、そしてブラケット１６内の下部側にこれと一体又は一体的に設けたストッパー１７に金具本体５の上端を当接させた状態で前記上下両ナット１３，１３を下板ｂに対し締着することによって金具本体５をブラケット１６及び吊り杆本体９に対し一体的に連結固定するようにしたものである。この下部連結部材１１のブラケット１６は、図２の(c) に示すように、上部連結部材１０のブラケット１２と上下を逆にしたもので、ブラケット１２と同じ構造であり、その形成方法は図２の(a) ，(b) によって説明した通りである。
【００３１】
上部連結部材１０のストッパー１５は、図３の(a) ，(b) に示すように、ブラケット１２の両側板ａ，ａから夫々吊り杆本体９に対しねじ込まれた夫々上下複数個のタッピングビス１４・・・のうち最上部の同じ高さ位置にある２個のタッピングビス１４，１４の螺軸部からなるもので、上部ボルト７の下端をそのタッピングビス１４，１４の螺軸部に当接させた状態で、上下のナット１３，１３をブラケット１２の上板ｂに対し締め付けることによって、上部ボルト７をブラケット１２に堅固に固定することができる。
【００３２】
下部連結部材１１のストッパー１７は、図３の(a) に示すように、ブラケット１６の両側板ａ，ａから夫々吊り杆本体９に対しねじ込まれた夫々上下複数個のタッピングビス１４・・・のうち最下部の同じ高さ位置にある２個のタッピングビス１４，１４の螺軸部からなるもので、下部ボルト８の上端をタッピングビス１４，１４の螺軸部に当接させた状態で上下のナット１３，１３をブラケット１２の下板ｂに対し締め付けることによって、下部ボルト８をブラケット１６に堅固に固定することができる。
【００３３】
上記のように短尺状の上部ボルト７と短尺状の下部ボルト８と長尺状の吊り杆本体９とを上部連結部材１０及び下部連結部材１１を介して一体的に堅固に連結してなる長尺状の天井吊り杆１を用いて天井下地を組立て施工するには、作業現場の床面上に設置した作業台に上がった作業者が、この天井吊り杆１の下端部を把持した状態で、天井吊り杆１の上端部である上部ボルト７を天井スラブＳのインサートナットＮに係入して、この天井吊り杆１を回転させながら、上部ボルト７をインサートナットＮにねじ込むことにより、天井吊り杆１をインサートナットＮに固定して天井スラブＳから垂下する。その後は、図１，図３に示すように、天井吊り杆１の下端部である下部ボルト８をハンガー２の上部片２ａのボルト挿通孔（図示せず）に挿通して上下のナット１８，１８で取付け固定し、しかしてハンガー２に野縁受け３を支持し、この野縁受け３にクリップ４を介して野縁５を吊支することにより、天井下地を組み立て施工する。
【００３４】
上述したように、この天井下地では、天井吊り杆１を、短尺状の上部ボルト７と、短尺状の下部ボルト８と、上端部が上部連結部材１０を介して上部ボルト７に連結固定され且つ下端部が下部連結部材１１を介して下部ボルト８に連結固定される長尺状の吊り杆本体９とにより構成すると共に、長尺状吊り杆本体９を、従来使用されている長尺ボルトよりも曲げ強度に優れた角パイプ材又はリップ溝形材によって形成しているので、かなり大きな地震が発生しても、天井吊り杆１が撓み変形することがなく、従って天井板の落下を防止することができる。
【００３５】
また、上部連結部材１０は下向きコ字状のブラケット１２からなるもので、このブラケット１２の上板ｂのボルト挿通孔ｃに上部ボルト７を挿通し、上部ボルト７には上板ｂの上下両側にナット１３を螺合し、両側板ａ，ａで吊り杆本体９の上端部両側面を挟持した状態で、各側板ａから吊り杆本体９に対し上下複数個のタッピングビス１４をねじ込むことによりブラケット１２を吊り杆本体９の上端部に固定し、ブラケット１２内の上部側に設けたストッパー１５に上部ボルト７の下端を当接させた状態で上下両ナット１３，１３を上板ｂに対し締着することにより上部ボルト７をブラケット１２に固定するようにしたから、簡単の構造のブラケット１２と、上部ボルト７に螺合する上下のナット１３，１３とによって、上部ボルト７とブラケット１２と吊り杆本体９とを有効に連結固定することができる。
【００３６】
図１及び図２に示される天井吊り杆１の上部連結部材１０では、ブラケット１２の上板ｂにボルト挿通孔ｃを穿設して、このボルト挿通孔ｃに上部ボルト７を挿通し、この上部ボルト７には上板ｂを挟んでその上下両側にナット１３，１３を螺合し、ブラケット１２内に設けたストッパー１５に上部ボルト７の下端を当接させた状態で上下両ナット１３，１３を上板ｂに対し締着することによって上部ボルト７をブラケット１２に固定するようにしているが、図４の(a) 〜(c) に示す天井吊り杆１の上部連結部材１０のように、ブラケット１２の上板ｂにボルトネジ孔１９を設け、このボルトネジ孔１９に上部ボルト７を螺挿して、ブラケット１２内に設けたストッパー１５に上部ボルト７の下端が当接するように上部ボルト７を締結することによって上部ボルト７をブラケット１２に一体的に固定する構成としてもよい。このような構成とすれば、締着用の２つのナット１３，１３が不要となるため、上部ボルト７とブラケット１２との連結作業が容易となる。
【００３７】
また、下部連結部材１１についても、図１及び図２に示される天井吊り杆１の下部連結部材１１では、ブラケット１６の下板ｂにボルト挿通孔ｃを穿設して、このボルト挿通孔ｃに下部ボルト８を挿通し、この下部ボルト８には下板ｂを挟んでその上下両側にナット１３，１３を螺合し、ブラケット１６内のストッパー１７に下部ボルト８の上端を当接させた状態で上下両ナット１３，１３を上板ｂに対し締着することによって下部ボルト８をブラケット１６に固定しているが、同じく図４の(a) 〜(c) に示す下部連結部材１１のように、ブラケット１６の下板ｂにボルトネジ孔１９を設けて、このボルトネジ孔１９に下部ボルト８を螺挿して、ブラケット１６内のストッパー１５に下部ボルト８の上端が当接するように下部ボルト８を締結することによって下部ボルト８をブラケット１６に固定する構成としてもよい。このような構成とすれば、締着用の２つのナット１３，１３が不要となるため、下部ボルト８とブラケット１６との連結作業が容易となる。
【００３８】
また図４の(a) 〜(c) に示す天井吊り杆１において、(a) に示す上下部連結部材１０，１１のブラケット１２，１６では、上板ｂ及び下板ｂに、その裏面側にフランジ部２０を形成するようにバーリング加工を施して、そのバーリング孔にボルトネジ孔１９を切ったものである。このように上下板ｂの裏面側にフランジ部２０を形成するようなバーリング加工は、ブラケット１２，１６に嵌め込む吊り杆本体９が比較的太い場合（例えば、１．６×１９×１９の角バイプ）である。(b) に示す上下部連結部材１０，１１のブラケット１２，１６では、上下板ｂの表面側にフランジ部２０を形成するようにバーリング加工したもので、これは、ブラケット１２，１６に嵌め込む吊り杆本体９が比較的細い場合（例えば、１．２×１６×１６の角バイプ）である。このようなバーリング加工は、ネジ孔をできるだけ長くするために行なうのである。また(c) に示す上下部連結部材１０，１１のブラケット１２，１６のように、上下板ｂが予め厚く形成されているから、バーリング加工が不要とされる。
【００３９】
図３及び図４に示す実施形態の天井吊り杆１では、上部連結部材１０のブラケット１２内に設けられるストッパー１５は、ブラケット１２の両側板ａ，ａから吊り杆本体９に対しねじ込まれた上下複数個のタッピングビス１４のうち最上部のタッピングビス１４の螺軸部からなるものとし、また下部連結部材１１のブラケット１６内にストッパー１７は、ブラケット１６の両側板ａ，ａから吊り杆本体９に対しねじ込まれた上下複数個のタッピングビス１４のうち最下部のタッピングビス１４の螺軸部からなるものとしたが、図５の(b) に示す実施形態の天井吊り杆１では、上部連結部材１０のブラケット１２内に設けるストッパー１５として、ブラケット１２の両側板ａ、ａの何れか一方の上部側所要箇所を内向き水平に突出するように側板ａに対し直角に切り起こした切り起こし片２１からなるものとし、また下部連結部材１１のブラケット１６内に設けるストッパー１７としては、ブラケット１６の両側板ａ、ａの何れか一方の下部側所要箇所を内向き水平に突出するように側板ａに対し直角に切り起こした切り起こし片２１からなるものとしている。
【００４０】
図５の(a) はストッパー１５，１７用の切り起こし片２１を形成した上部及び下部連結部材１０，１１のブラケット１２，１６を形成するための、細長矩形状に形成した鋼板材Ｍを示している。即ち、図５の(a) に示す鋼板材Ｍは、概略中央部側に折り目ｇ，ｇを設け、この折り目ｇ，ｇ間を上板ｂとし、また折り目ｇ，ｇの両側全部を両側板ａ，ａとし、上板ｂの中央にバーリング加工したバーリング孔にボルトネジ孔１９を形成し、両側板ａ，ａには夫々複数個のタッピング孔ｄを設け、そして一方の側板ａの上部側所要箇所にコ字状の切込みｆを形成したもので、この鋼板材Ｍをプレス加工によってコ字状に折曲すると共に、コ字状切込みｆ部分を側板ａに対し直角に切り起こして切り起こし片２１を形成することにより、図５の(b) に示すような上部連結部材１０のブラケット１２及び下部連結部材１１のブラケット１６とすることができる。
【００４１】
図６の(a) は、上部連結部材１０及び下部連結部材１１のブラケット１２，１６を形成する細長矩形状鋼板材Ｍを展開した状態で示すもので、この鋼板材Ｍには、上板ｂ又は下板ｂとなる中央部側にボルトネジ孔１９を設け、このネジ孔１９の両側に幅狭用の第１折り目ｇ，ｇ及び幅広用の第２折り目ｊ，ｊを設け、側板ａ，ａ側には夫々複数個のタッピング孔ｄを設け、そして更に側板ａ，ａ側には、ブラケット１２，１６の両側板ａ，ａで吊り杆本体９の上端部又は下端部を挟持する時に吊り杆本体９の幅を規制してその吊り杆本体９に対し両側板ａ，ａを位置決めするための位置決め用切り起し片２２，２３を、切込み線ｍ，ｎによって切り起こし可能に形成している。
【００４２】
図６の(b-1) は、吊り杆本体９としての角パイプ材の一辺の幅が、例えば１６ｍｍもの（幅狭）を使用する場合を示したもので、この場合には、図６の(a) に示す鋼板材Ｍを、幅狭用の第１折り目ｇ，ｇのところで折り曲げることによって、両側板ａ，ａ間の間隔が１６．２ｍｍとなり、しかして各箇所にある位置決め用切り起し片２２，２３を切込み線ｍ，ｎを介して切り起こすと、各側板ａの幅方向に対向する位置決め用切り起し片２２，２２間の間隔が１６．２ｍｍとなり、従って同図(b-2) の断面図から分かるように、各側板ａの幅方向に対向する位置決め用切り起し片２２，２２間に１６ｍｍ幅の角パイプ材からなる吊り杆本体９が嵌合するから、ブラケット１２，１６の両側板ａ，ａで吊り杆本体９の上端部又は下端部を挟持するようにすれば、１６ｍｍ幅の角パイプ材からなる吊り杆本体９に対するブラケット１２，１６の位置決めが容易となる。
【００４３】
図６の(c-1) は、吊り杆本体９としての角パイプ材の一辺の幅が、例えば１９ｍｍもの（幅広）を使用する場合を示したもので、この場合には、図６の(a) に示す鋼板材Ｍを、幅広用の第２折り目ｊ，ｊのところで折り曲げることによって、両側板ａ，ａ間の間隔が１９．２ｍｍとなり、しかして各箇所にある位置決め用切り起し片２３を切込み線ｎを介して切り起こすと、各側板ａの幅方向に対向する位置決め用切り起し片２３，２３間の間隔が１９．２ｍｍとなり、従って同図(c-2) の断面図から分かるように、各側板ａの幅方向に対向する位置決め用切り起し片２３，２３間に１９ｍｍ幅の角パイプ材からなる吊り杆本体９が嵌合するから、ブラケット１２，１６の両側板ａ，ａで吊り杆本体９の上端部又は下端部を挟持するようにすれば、１９ｍｍ幅の角パイプ材からなる吊り杆本体９に対するブラケット１２，１６の位置決めが容易となる。
【００４４】
尚、図６の(a) に示す実施形態では、位置決め用切り起し片２２，２３を形成するための切込み線ｍ，ｎを、細長矩形状鋼板材Ｍの周縁部における四隅部の４箇所と中間部の２箇所との計６箇所に設けているが、中間部の箇所では切込み線ｍ，ｎだけでは切り起し片２２，２３を切り起こすことができないため、両切込み線ｍ，ｎの夫々一端で交差する切込み線ｏを形成している。
【符号の説明】
【００４５】
Ｓ            天井コンクリートスラブ（天井部）
Ｎ            インサートナット（吊り金具）
１            天井吊り杆
２            ハンガー
３            野縁受け
５            野縁
６            天井板
７            上部ボルト
８            下部ボルト
９            吊り杆本体
１０          上部連結部材
１１          下部連結部材
１２          上部連結部材のブラケット
１４          タッピングビス
１５          ストッパー
１６          下部連結部材のブラケット
１７          ストッパー
【図１】
2014001504.tif 000003
【図２】
2014001504.tif 000004
【図３】
2014001504.tif 000005
【図４】
2014001504.tif 000006
【図５】
2014001504.tif 000007
【図６】
2014001504.tif 000008